(57)【要約】      （修正有）【課題】吸音壁において、緑化策は、これまでは吸音壁に直接植物を植えることができないので、根が土に触れなかったり、取り付けるかご状物が突出するため道路幅員を狭くする。【解決手段】植栽用根穴６を開口した固定板１の両側に立ち上げた表面板２の少なくとも一方を内外面を貫通する吸音口を形成した表面板２とし、この吸音口を形成した表面板２と固定板１に開口した植栽用根穴６間に側板を立ち上げるとともに、吸音口を形成した表面板２と側板４間に吸音材５を組み込み、吸音口を形成した表面板２と側板４間上方を閉鎖してなる植栽型鋼製吸音壁を提供する。【選択図】    図７
2004257099.tif 000002
【特許請求の範囲】
【請求項１】
植栽用根穴を開口した固定板の両側に立ち上げた表面板の少なくとも一方を内外面を貫通する吸音口を形成した表面板とし、この吸音口を形成した表面板と固定板に開口した植栽用根穴間に側板を立ち上げるとともに、吸音口を形成した表面板と側板間に吸音材を組み込み、吸音口を形成した表面板と側板間上方を閉鎖してなることを特徴とする植栽型鋼製吸音壁。
【請求項２】
植栽用根穴を開口した固定板の両側に立ち上げた表面板の少なくとも一方を内外面を貫通する吸音口を形成した表面板とし、この吸音口を形成した表面板と固定板に開口した植栽用根穴間に側板を立ち上げるとともに、吸音口を形成した表面板と側板間に吸音材を組み込み、吸音口を形成した表面板と側板間上方を閉鎖してなる吸音壁を植栽用根穴を形成した基礎ブロックに吸音壁の固定板に開口した植栽用根穴と基礎ブロックに形成した植栽用根穴を合致させて据え付けてなることを特徴とする植栽型鋼製吸音壁。
【請求項３】
植栽用根穴を開口した固定板の両側の少なくとも一方のうち、一方にのみ内外面を貫通する吸音口を形成した表面板を有する請求項１又は請求項２に記載の植栽型鋼製吸音壁は、路肩に用いられることを特徴とする植栽型鋼製吸音壁。
【請求項４】
植栽用根穴を開口した固定板の両側の少なくとも一方のうち、両側に内外面を貫通する吸音口を形成した表面板を有する請求項１又は請求項２に記載の植栽型鋼製吸音壁は、中央分離帯に用いられることを特徴とする植栽型鋼製吸音壁。
【請求項５】
植栽用根穴を開口した固定板の両側に立ち上げた表面板の少なくとも一方を内外面を貫通する吸音口を形成した表面板とし、この吸音口を形成した表面板と固定板に開口した植栽用根穴間に側板を立ち上げるとともに、吸音口を形成した表面板と側板間に吸音材を組み込み、吸音口を形成した表面板と側板間上方を閉鎖した吸音壁を、車道路面に突出させて設置した植栽用根穴を形成した基礎ブロックに、吸音壁の固定板に開口した植栽用根穴と基礎ブロックに形成した植栽用根穴とを合致させて据え付けることを特徴とする植栽型鋼製吸音壁据え付け方法。
【発明の詳細な説明】
【０００１】
【発明の属する技術分野】
本発明は、道路に設置される植栽型鋼製吸音壁及び植栽型鋼製吸音壁の据え付け方法に関する。
【０００２】
【従来の技術】
通常、自動車が高速で走行する道路には、自動車が道路からはずれないように、または騒音防止のために道路の両側や対向する車線間に、適宜の高さのコンクリート高欄や吸音壁が設置されている。
【０００３】
しかしながら、コンクリート高欄や吸音壁は、見た目には随分と殺風景である。
【０００４】
そこで、近時、このコンクリート高欄の壁面に鋼製のかご状物を設置し、そこにハイネスブルーパシフィック等の樹木を植えた植木容器を入れての緑化策が講じられている。緑化策は樹木に炭酸ガスを吸収させるという地球温暖化防止策としても有意義である。
【０００５】
【発明が解決しようとする課題】
しかしながら、植物にとって、根は植木容器のみでしか土に接しないので、あまり長持ちしないという課題を有する。また、コンクリート高欄の壁面に設置されたかご状物は、たとえ道路幅員上の路側帯といえ、道路幅員をせばめるので無謀な運転者による接触の危険もある。吸音壁においても同様である。
【０００６】
【課題を解決するための手段】
本発明は、上述のような課題を以下述べるところにより解決しようとするものである。
【０００７】
まずは、植栽可能な吸音壁を提供する。
【０００８】
基本的には、植栽用根穴を開口した固定板の両側に立ち上げた表面板の少なくとも一方を内外面を貫通する吸音口を形成した表面板とし、この吸音口を形成した表面板と固定板に開口した植栽用根穴間に側板を立ち上げるとともに、吸音口を形成した表面板と側板間に吸音材を組み込み、吸音口を形成した表面板と側板間上方を閉鎖した植栽型鋼製吸音壁を提供する。
【０００９】
そして、具体的な一例として、植栽用根穴を開口した固定板の両側に立ち上げた表面板の少なくとも一方を内外面を貫通する吸音口を形成した表面板とし、この吸音口を形成した表面板と固定板に開口した植栽用根穴間に側板を立ち上げるとともに、吸音口を形成した表面板と側板間に吸音材を組み込み、吸音口を形成した表面板と側板間上方を閉鎖してなる吸音壁を植栽用根穴を形成した基礎ブロックに吸音壁の固定板に開口した植栽用根穴と基礎ブロックに形成した植栽用根穴を合致させて据え付けてなる植栽型鋼製吸音壁を提供する。
【００１０】
上記植栽型鋼製吸音壁にあって、植栽用根穴を開口した固定板の両側の少なくとも一方のうち、一方にのみ内外面を貫通する吸音口を形成した表面板を有する植栽型鋼製吸音壁は、路肩用として提供できる。
【００１１】
上記植栽型鋼製吸音壁にあって、植栽用根穴を開口した固定板の両側の少なくとも一方のうち、両側に内外面を貫通する吸音口を形成した表面板を有する植栽型鋼製吸音壁は、中央分離帯用として提供できる。
【００１２】
ついで、据え付け方法としてつぎの手段を提供する。
【００１３】
植栽用根穴を開口した固定板の両側に立ち上げた表面板の少なくとも一方を内外面を貫通する吸音口を形成した表面板とし、この吸音口を形成した表面板と固定板に開口した植栽用根穴間に側板を立ち上げるとともに、吸音口を形成した表面板と側板間に吸音材を組み込み、吸音口を形成した表面板と側板間上方を閉鎖した吸音壁を、車道路面に突出させて設置した植栽用根穴を形成した基礎ブロックに、吸音壁の固定板に開口した植栽用根穴と基礎ブロックに形成した植栽用根穴とを合致させて据え付ける植栽型鋼製吸音壁据え付け方法を提供する。
【００１４】
【発明の実施の形態】
本発明の実施の形態を図面に基き説明する。
【００１５】
図１乃至図５は、植栽用根穴を開口した固定板両側の一方にのみ中外面を貫通する吸音口を形成した表面板を有する植栽型鋼製吸音壁の実施の形態を示すもので、それぞれ正面図、図１のＡ−Ａ矢視図、図１のＢ−Ｂ矢視図、図２のＣ−Ｃ断面図、図２のＤ−Ｄ矢視図である。
【００１６】
固定板１は、適宜の長さと幅を有し、間隔をおいて植栽用根穴６が複数開口されている。１３は後述する基礎ブロック８への取り付けのためのアンカーボルト穴である。
【００１７】
表面板２は、適宜の長さと高さを有し、上端方に内側に延伸し、後述する側板４との間を閉鎖する上面板２ａが折曲して形成されている。表面板３、側板４は同様に適宜の長さと高さを有して形成されている。
【００１８】
表面板２と表面板３は、固定板１の両側に立ち上げて固定されている。この実施の形態にあっては、表面板２はボルト１０、ナット１１を用いて取り付けたアングル１２とともに固定板１に溶接により固着し、表面板３は同様に下端を溶接固着してある。側板４は固定板１に固定板１に開口した植栽用根穴６と表面板２間の適宜の位置に下端を溶接固着して立ち上げる。
【００１９】
このようにして立ち上げた表面板２と側板４間は、その上方が表面板２から折曲して延伸して形成された上面板２ａにより閉鎖される。この実施の形態にあっては、表面板２の上面板２ａの端部にボルト１０、ナット１１を用いて取り付けたアングル１２と側板４とが溶接により固着されている。表面板３と側板４間には、必要に応じて補強板７が下方に切り欠き７ａを有して、溶接により固着されている。上面板２ａは延伸方向にやや下りの傾斜を持たせるのが好ましい。側板４の下端には、図示してないが、通水穴が形成されている。
【００２０】
表面板２には、多数の吸音口５ｃが形成され、表面板２、側板４間には吸音材が組み込まれている。この実施の形態では、表面板２の内側に表面板２に開口した吸音口５ｃに相応する吸音孔（図示しない）の開口されている吸音材５ａ、側板２には、吸音材５ａに向い合って、表面に凹凸が形成されている吸音材５ｂが、それぞれ貼着されて組み込まれている。
【００２１】
本発明において、固定板１、表面板２、表面板３、側板４はいずれも鋼製である。
【００２２】
このようにして全体として吸音壁を構成し、かかる吸音壁は路肩用として使用するのに適する。なお、この実施の形態に示した吸音壁は普通の道路に使用する低層吸音壁である。
【００２３】
図６は、上述した吸音壁を路上に据え付けた実施の形態を示す正面図である。
【００２４】
まず、コンクリート製の基礎ブロック８が路肩、この図では歩道側に設置される。設置に当っては、車道に面する側を路面より突出、歩道に面する側を歩道と面一にして路中に埋設する。この実施の形態において突出高は２００ｍｍである。
【００２５】
基礎ブロック８は、吸音壁の固定板１に開口した植栽用根穴６に対応する植栽用根穴９が形成されている。
【００２６】
吸音壁は、設置された基礎ブロック８上に吸音口５ｃの開口されている表面板２を車道側に向けて固定板１に開口した植栽用根穴６と基礎ブロック８に開口した植栽用根穴９とを合致させて、固定板１に形成したアンカーボルト穴１３を介して、アンカーボルト１４により結合されて据え付けられる。
【００２７】
植栽は、図示してないが、吸音壁の表面板３と側板４間に土を入れるか又は入れることなく、吸音壁の固定板１に開口した植栽用根穴６、基礎ブロック８に開口した植栽用根穴９を通して土中に根を下して行う。
【００２８】
つぎに、図７乃至図１１は、植栽用根穴を開口した固定板両側に内外面を貫通する吸音口を形成する表面板を有する植栽型鋼製吸音壁の実施の形態を示すもので、それぞれ正面図、図７のＡ−Ａ矢視図、図７のＢ−Ｂ断面図、図８のＣ−Ｃ断面図、図８のＤ−Ｄ矢視図である。
【００２９】
固定板１は、適宜の長さと幅を有し、間隔をおいて植栽用根穴６が複数開口されている。１３は後述する基礎ブロック８への取り付けのためのアンカーボルト穴である。
【００３０】
表面板２・２は、適宜の長さと高さを有し、上端方に内側に延伸し、後述する側板４・４との間を閉鎖する上面板２ａが折曲して形成されている。表面板４・４は同様に適宜の長さと高さを有して形成されている。
【００３１】
表面板２・２は、それぞれ固定板１の両側に立ち上げて固定されている。この実施の形態にあっては、ボルト１０、ナット１１を用いて取り付けたアングル１２とともに固定板１に溶接により固着してある。側板４・４は、それぞれ固定板１に開口した植栽用根穴６と表面板２間の適宜の位置に下端を溶接固着して立ち上げる。
【００３２】
このようにして立ち上げた表面板２・２と側板４・４間は、その上方が表面板２・２から折曲して延伸して形成された上面板２ａ・２ａにより閉鎖される。この実施の形態にあっては、それぞれ表面板２の上面板２ａの端部にボルト１０、ナット１１を用いて取り付けたアングル１２と側板４とが溶接により固着されている。側板４・４間には必要に応じて補強板７が下方に切り欠き７ａを有して溶接により固着されている。上面板２ａは延伸方向にやや下りの傾斜を持たせるのが好ましい。側板４の下面には図示してないが、通水穴が形成されている。
【００３３】
表面板２・２には多数の吸音口５ｃが形成され、表面板２・２、側板４・４間には吸音材が組み込まれている。この実施の形態では、表面板２・２の内側に表面板２・２に開口した吸音口５ｃに相応する吸音孔（図示しない）の開口されている吸音材５ａ・５ａ、側板４・４には、吸音材５ａ・５ａに向い合って表面に凹凸が形成されている吸音材５ｂ・５ｂが貼着されて組み込まれている。
【００３４】
この実施の形態において、固定板１、表面板２・２、側板４・４はいずれも鋼製である。
【００３５】
このようにして全体として吸音壁を構成し、かかる吸音壁は中央分離帯用として使用するのに適する。なお、この実施の形態に示した吸音壁は低層吸音壁である。
【００３６】
図１２は、上述した吸音壁を路上に据え付けた実施の形態を示す正面図である。
【００３７】
まず、コンクリート製の基礎ブロック８を道路中央に設置される。設置に当っては、車道路面より突出させて埋設する。この実施の形態にあっては、突出高は２５０ｍｍである。
【００３８】
基礎ブロック８は、吸音壁の固定板１に開口した植栽用根穴６に対応する植栽用根穴９が形成されている。
【００３９】
吸音壁は設置された基礎ブロック８上に固定板１に開口した植栽用根穴９とを合致させて、固定板１に形成したアンカーボルト穴１３を介してアンカーボルト１４により結合されて据え付けられる。
【００４０】
植栽は、図示してないが、吸音壁の側板４・４間に土を入れるか又は入れることなく、吸音壁の固定板１に開口した植栽用根穴６、基礎ブロック８に開口した植栽用根穴９を通して土中に根を下して行う。
【００４１】
上述のようにしてなる植栽型鋼製吸音壁において、植物は、植栽用根穴を通して土中に根を張り、閉鎖されていない上方より枝や葉を出す。設置される場所により上方へ伸びる植物であっても、また、表面板の外面を伝って垂れ下がるものであってもよい。
【００４２】
植物は、土中の水分を吸収することができるので長持ちする。
【００４３】
上述の実施の形態においては、表面板から折曲して延伸する上面板を内側にやや傾斜を持たせることにより、雨、露等の滞留水は植栽側へ流れ込むようにしてある。また側板下端に通水穴を形成したので、表面板の吸音口から浸入した雨水等も植栽側へ流入させることもできる。
【００４４】
上述の実施の形態において、基礎ブロックを路上に突出させ、その上に吸音壁を据え付けたのは、タイヤによる騒音は路面より斜め上方へ向けて発せられことによる。なお、上述の吸音壁は設置される場所毎に必要な寸法のものも作製できる。
【００４５】
本発明は上述のようにしてなるので、つぎの効果を有する。
【００４６】
植物が直接土に触れるので長持ちする。また、車道側に突出させた容器等に植物を収めたものとは異なり、道路幅員を狭めることなく安全である。
【００４７】
道路幅員上、別に植栽スペースを取らなくても道路上の緑化を容易にする。
【００４８】
緑化に伴う効果として、排出される炭酸ガスを植物に吸収させることができるので、地球温暖化のための一助とすることができる。
【図面の簡単な説明】
【図１】本発明に係る植栽型鋼製吸音壁の実施の形態を示す正面図である。
【図２】図１のＡ−Ａ矢視図である。
【図３】図１のＢ−Ｂ矢視図である。
【図４】図２のＣ−Ｃ断面図である。
【図５】図２のＤ−Ｄ矢視図である。
【図６】基礎ブロックに据え付けてなる植栽型鋼製吸音壁の正面図である。
【図７】本発明に係る植栽型鋼製吸音壁の別の実施の形態を示す正面図である。
【図８】図７のＡ−Ａ矢視図である。
【図９】図７のＢ−Ｂ断面図である。
【図１０】図８のＣ−Ｃ断面図である。
【図１１】図８のＤ−Ｄ矢視図である。
【図１２】基礎ブロックに据え付けてなる植栽型鋼製吸音壁の正面図である。
【符号の説明】
１    固定板
２    表面板
２ａ  上面板
３    表面板
４    側板
５    吸音材
６    植栽用根穴
７    補強板
８    基礎ブロック
９    植栽用根穴
１０    ボルト
１１    ナット
１２    アングル
１３    アンカーボルト穴
１４    アンカーボルト
【図１】
2004257099.tif 000003
【図２】
2004257099.tif 000004
【図３】
2004257099.tif 000005
【図４】
2004257099.tif 000006
【図５】
2004257099.tif 000007
【図６】
2004257099.tif 000008
【図７】
2004257099.tif 000009
【図８】
2004257099.tif 000010
【図９】
2004257099.tif 000011
【図１０】
2004257099.tif 000012
【図１１】
2004257099.tif 000013
【図１２】
2004257099.tif 000014